(57)【特許請求の範囲】
【請求項１】
カラーの映像信号（Ｓ1）をペアー線（Ｌ1）で伝送する映像信号振幅変復調方式であって、前記映像信号を振幅変復調する搬送波（Ｓ2）は前記映像信号のバースト信号（Ｓ1a）のｎ倍（ｎは２以上の正の整数）で前記ペアー線の許容伝送帯域上限である３０MHz以下であり、かつ前記バースト信号とタイミングが合わされていることを特徴とするペアー線伝送カラー信号振幅変復調方式。
【請求項２】
ＣＣＤ撮像素子（１１）からのカラーの画素信号（Ｓ11）をペアー線（Ｌ11）で伝送する画素信号振幅変復調方式であって、前記画素信号を振幅変復調する搬送波（Ｓ12）は前記ＣＣＤ撮像素子のサンプリング出力信号のクロック信号（Ｓ11a）のｎ倍（ｎは２以上の正の整数）で前記ペアー線の許容伝送帯域上限である３０MHz以下であり、かつ前記クロック信号とタイミングが合わされていることを特徴とするペアー線伝送カラー信号振幅変復調方式。
【発明の詳細な説明】
【０００１】
【発明の属する技術分野】
本発明はペアー線伝送カラー信号振幅変復調方式に係わり、特にカラーの映像信号および画素信号を低周波数帯域の搬送波で変復調させて伝送することが可能なペアー線伝送カラー信号振幅変復調方式に関する。
【０００２】
【従来の技術】
従来からこの種のペアー線伝送カラー信号周波数変復調方式に用いられた図３のブロック図に示す構成の映像信号周波数変復調回路が提案されている。
同図に示す映像信号周波数変復調回路は、映像信号源５１に接続された電圧周波数変換素子５２と、電圧周波数変換素子５２にペアー線Ｌ51を介して接続されたパルスカウンタ復調素子５３と、ローパスフィルタ（以下、ＬＰＦと称す）５４と、モニタ５５とで構成されている。
【０００３】
このように構成された映像信号周波数変復調回路において、映像信号源５１から伝送されたカラーの映像信号（以下、カラー映像信号と称す）Ｓ51が電圧周波数変換素子５２に入力されると、電圧周波数変換素子５２は入力されたカラー映像信号Ｓ51の電圧に応じて周波数を変調した周波数変調信号Ｓ52をペアー線Ｌ51を介してパルスカウンタ復調素子５３に出力する。パルスカウンタ復調素子５３は入力された周波数変調信号Ｓ52の周波数に応じたパルス信号Ｓ53を出力する。このパルス信号Ｓ53はＬＰＦ５４を通過して高周波成分が減衰（除去）され低周波成分が強調されたカラー映像復調信号Ｓ54としてモニタ５５に入力され、モニタ５５にて映像信号源５１からのカラー映像が出画されていた。
【０００４】
【発明が解決しようとする課題】
しかしながら、従来のペアー線伝送カラー信号周波数変復調方式に用いられた映像信号周波数変復調回路では、カラー映像信号の水平走査区間毎におけるバースト信号をサンプリングするタイミングが異なる場合には、水平走査区間毎に取り出されるカラー映像復調信号の振幅、位相が変化することから、モニタにて出画されるカラー映像の色が変化したりモアレが生じてしまうといった難点があった。
【０００５】
本発明は上述の難点を解消するためになされたもので、カラーの映像信号および画素信号の変調のタイミングをバースト信号およびサンプリング出力信号のクロック信号と同一にして復調信号に混入する干渉波の変化を低減させることにより、モニタにて出画されるカラー映像およびカラー画素の色変化を防止したペアー線伝送カラー信号振幅変復調方式を提供することを目的とする。
【０００６】
【課題を解決するための手段】
このような目的を達成するため、本発明によるペアー線伝送カラー信号振幅変復調方式は、カラーの映像信号をペアー線で伝送する映像信号振幅変復調方式であって、映像信号を振幅変復調する搬送波は映像信号のバースト信号のｎ倍（ｎは２以上の正の整数）でペアー線の許容伝送帯域上限である３０MHz以下であり、かつバースト信号とタイミングが合わされているものである。
【０００７】
また、本発明によるペアー線伝送カラー信号振幅変復調方式は、ＣＣＤ撮像素子からのカラーの画素信号をペアー線で伝送する画素信号振幅変復調方式であって、画素信号を振幅変復調する搬送波はＣＣＤ撮像素子のサンプリング出力信号のクロック信号のｎ倍（ｎは２以上の正の整数）でペアー線の許容伝送帯域上限である３０MHz以下であり、かつクロック信号とタイミングが合わされているものである。
【０００８】
このようなペアー線伝送カラー信号振幅変復調方式によれば、カラーの映像信号および画素信号を、それぞれ映像信号のバースト信号のｎ倍、ＣＣＤ撮像素子のサンプリング出力信号のクロック信号のｎ倍（ｎは２以上の正の整数）でタイミングが合致された低周波数帯域の搬送波で変復調させて伝送することにより、復調信号に混入する干渉波を低減させてカラー信号への悪影響を生じずに撮像されたそのままの正常な色のカラー映像およびカラー画素をモニタにて出画することができる。
【０００９】
【発明の実施の形態】
以下、本発明によるペアー線伝送カラー信号振幅変復調方式を適用した好ましい形態例について、一実施例として図面を参照して説明する。
図１は本発明によるペアー線伝送カラー信号振幅変復調方式の一実施例に用いられた映像信号振幅変復調回路の構成を示すブロック図であり、カラー映像の撮像機能を有するＣＣＤ撮像素子１と、ＣＣＤ撮像素子１にて撮像された映像信号より取り出される赤、青、緑の原色映像信号から輝度信号を取得して、赤、青の原色信号からそれぞれ作成される赤色差信号、青色差信号を所定の位相差を持った色副搬送波でそれぞれ平衡変調して輝度信号と合成したカラーの映像信号（以下、カラー映像信号と称す）Ｓ1を出力する映像処理回路２と、ＣＣＤ撮像素子１を動作制御するとともにカラー映像信号Ｓ1を振幅変復調するために、カラー映像信号Ｓ1のバースト信号Ｓ1aのｎ倍（ｎは２以上の正の整数）の搬送波Ｓ2を出力するタイミング発生器３と、前述の搬送波Ｓ2により動作制御され切り替えられるアナログスイッチ４と、アナログスイッチ４より出力される振幅変調された映像振幅変調信号Ｓ3の伝送を中継してペアー線Ｌ1を介して映像検波素子６に送出するトランス５と、ペアー線Ｌ1を伝送された映像振幅変調信号Ｓ3を映像検波回路７に出力する映像検波素子６と、入力された映像振幅変調信号Ｓ3を搬送波Ｓ2に同期して振幅復調された映像振幅復調信号Ｓ4として映像検波素子６に出力する映像検波回路７と、映像検波素子６を介した映像振幅復調信号Ｓ4を入力してＣＣＤ撮像素子１にて撮像されたカラー映像を出画するモニタ８とで構成されている。また、搬送波Ｓ2はペアー線Ｌ1の許容伝送帯域上限である３０MHz以下の低周波数帯域で、かつカラー映像信号Ｓ1のバースト信号Ｓ1aとタイミングが合致されている。
【００１０】
タイミング発生器３の出力側にはＣＣＤ撮像素子１の制御入力側とアナログスイッチ４の制御入力側がそれぞれ接続されており、ＣＣＤ撮像素子１の出力側には映像処理回路２を介してアナログスイッチ４の入力側が接続されている。また、アナログスイッチ４の出力側には２線の信号伝送線Ｌ2、Ｌ3を介してトランス５の１次側が接続されており、トランス５の２次側にはペアー線Ｌ1を介して映像検波素子６の入力側が接続されている。更に、映像検波素子６の入出力側には映像検波回路７が、出力側にはモニタ８がそれぞれ接続されている。
【００１１】
このように構成された映像信号振幅変復調回路が用いられたペアー線伝送カラー信号振幅変復調方式において、以下、カラー映像信号の伝送方法について説明する。
タイミング発生器３により動作制御され能動にされたＣＣＤ撮像素子１にて撮像された映像信号は映像処理回路２を介して適宜に信号処理されたカラー映像信号Ｓ1としてアナログスイッチ４に入力される。また、タイミング発生器３はアナログスイッチ４を動作制御して入力されるカラー映像信号Ｓ1を振幅変調させるために、カラー映像信号Ｓ1のバースト信号Ｓ1aのｎ倍（ｎは２以上の正の整数）の搬送波Ｓ2をアナログスイッチ４に出力する。
【００１２】
アナログスイッチ４に入力されたカラー映像信号Ｓ1は搬送波Ｓ2で振幅変調された映像振幅変調信号Ｓ3として、アナログスイッチ４の動作制御によりその接続が交互に切り替わる２線の信号伝送線Ｌ2、Ｌ3、トランス５、ペアー線Ｌ1を介して映像検波素子６に入力される。
映像検波素子６に入力された映像振幅変調信号Ｓ3は映像検波回路７に伝送され、映像検波回路７は入力された映像振幅変調信号Ｓ3をカラー映像信号Ｓ1のバースト信号Ｓ1aとタイミングが合致された搬送波Ｓ2に同期して復調された映像振幅復調信号Ｓ4として映像検波素子６を介してモニタ８に出力する。よって、モニタ８に入力された映像振幅復調信号Ｓ4には不要な干渉波が存在せずカラー映像信号Ｓ1のバースト信号Ｓ1aにタイミングを一致させて変復調することが可能であることから、ＣＣＤ撮像素子１にて撮像されたカラー映像は色ずれが生じずに撮像されたそのままの正常な色でモニタ８にて出画することができる。
【００１３】
尚、上記実施例ではＣＣＤ撮像素子にて撮像されたカラー映像信号を該映像信号のバースト信号とタイミングが合致された搬送波で変復調させて伝送する場合について説明したが、ＣＣＤ撮像素子より出力されるカラー画素信号を該ＣＣＤ撮像素子のサンプリング出力信号のクロック信号とタイミングが合致された搬送波で変復調させて伝送する場合について、以下、本発明の他の実施例として説明する。
【００１４】
図２は本発明によるペアー線伝送カラー信号振幅変復調方式の他の実施例に用いられた画素信号振幅変復調回路の構成を示すブロック図であり、映像の撮像機能を有し、撮像された離散的なカラーの画素信号（以下、カラー画素信号と称す）Ｓ11を出力するＣＣＤ撮像素子１１と、ＣＣＤ撮像素子１１を動作制御するとともにカラー画素信号Ｓ11を振幅変復調させるために、ＣＣＤ撮像素子１１のサンプリング出力信号のクロック信号Ｓ11aのｎ倍（ｎは２以上の正の整数）の搬送波Ｓ12を出力するタイミング発生器１２と、前述の搬送波Ｓ12により動作制御され切り替えられるアナログスイッチ１３と、アナログスイッチ１３より出力される振幅変調された画素振幅変調信号Ｓ13の伝送を中継してペアー線Ｌ11を介して映像検波素子１５に送出するトランス１４と、ペアー線Ｌ11を伝送された画素振幅変調信号Ｓ13を映像検波回路１６に出力する映像検波素子１５と、入力された画素振幅変調信号Ｓ13を搬送波Ｓ12に同期して振幅復調された画素振幅復調信号Ｓ14として映像検波素子１５に出力する映像検波回路１６と、映像検波素子１５を介した画素振幅復調信号Ｓ14を入力して離散的なカラー画素信号を組み立てる画素振幅復調信号Ｓ15としてモニタ１８に出力する映像処理回路１７と、映像処理回路１７を介した画素振幅復調信号Ｓ15を入力してＣＣＤ撮像素子１１にて撮像されたカラー映像を構成するカラー画素を出画するモニタ１８とで構成されている。また、搬送波Ｓ12はペアー線Ｌ11の許容伝送帯域上限である３０MHz以下の低周波数帯域で、かつＣＣＤ撮像素子１１のサンプリング出力信号のクロック信号Ｓ11aとタイミングが合致されている。
【００１５】
タイミング発生器１２の出力側にはＣＣＤ撮像素子１１の制御入力側とアナログスイッチ１３の制御入力側がそれぞれ接続されており、ＣＣＤ撮像素子１１の出力側にはアナログスイッチ１３の入力側が接続されている。また、アナログスイッチ１３の出力側には２線の信号伝送線Ｌ12、Ｌ13を介してトランス１４の１次側が接続されており、トランス１４の２次側にはペアー線Ｌ11を介して映像検波素子１５の入力側が接続されている。更に、映像検波素子１５の入出力側には映像検波回路１６が、出力側には映像処理回路１７を介してモニタ１８がそれぞれ接続されている。
【００１６】
このように構成された画素信号振幅変復調回路が用いられたペアー線伝送カラー信号振幅変復調方式において、以下、カラー画素信号の伝送方法について説明する。
タイミング発生器１２により動作制御され能動にされたＣＣＤ撮像素子１１より出力されたカラー画素信号Ｓ11はアナログスイッチ１３に入力される。また、タイミング発生器１２はアナログスイッチ１３を動作制御して入力されるカラー画素信号Ｓ11を振幅変調させるために、ＣＣＤ撮像素子１１のサンプリング出力信号のクロック信号Ｓ11aのｎ倍（ｎは２以上の正の整数）の搬送波Ｓ12をアナログスイッチ１３に出力する。
【００１７】
アナログスイッチ１３に入力されたカラー画素信号Ｓ11は搬送波Ｓ12で振幅変調された画素振幅変調信号Ｓ13として、アナログスイッチ１３の動作制御によりその接続が交互に切り替わる２線の信号伝送線Ｌ12、Ｌ13、トランス１４、ペアー線Ｌ11を介して映像検波素子１５に入力される。
映像検波素子１５に入力された画素振幅変調信号Ｓ13は映像検波回路１６に伝送され、映像検波回路１６は入力された画素振幅変調信号Ｓ13をＣＣＤ撮像素子１１のサンプリング出力信号のクロック信号Ｓ11aとタイミングが合致された搬送波Ｓ12に同期して復調された画素振幅復調信号Ｓ14として映像検波素子１５を介して映像処理回路１７に出力する。また、映像処理回路１７は入力された画素振幅復調信号Ｓ14を離散的なカラー画素信号を組み立てる画素振幅復調信号Ｓ15としてモニタ１８に出力する。よって、モニタ１８に入力された画素振幅復調信号Ｓ15には不要な干渉波が存在せずカラー画素信号Ｓ11のサンプリングクロック信号Ｓ11aにタイミングを一致させて変復調することが可能であることから、ＣＣＤ撮像素子１１にて撮像されたカラー映像を構成するカラー画素は色ずれが生じずに撮像されたそのままの正常な色でモニタ１８にて出画することができる。
【００１８】
【発明の効果】
以上の説明から明らかなように、本発明のペアー線伝送カラー信号振幅変復調方式によれば、ＣＣＤ撮像素子より出力されるカラーの映像信号および画素信号を、それぞれ映像信号のバースト信号のｎ倍、ＣＣＤ撮像素子のサンプリング出力信号のクロック信号のｎ倍（ｎは２以上の正の整数）でタイミングが合致された低周波数帯域の搬送波で変復調させて伝送することにより、カラー信号の変調のタイミングがバースト信号やサンプリング出力信号のクロック信号と同一で、かつ復調される映像信号や画素信号の振幅、位相の変化が低減されることから、カラー信号に混入する干渉波を低減させてＣＣＤ撮像素子にて撮像されたそのままの正常な色のカラー映像およびカラー画素をモニタにて出画することができる。
【図面の簡単な説明】
【図１】本発明によるペアー線伝送カラー信号振幅変復調方式の一実施例に用いられた映像信号振幅変復調回路の構成を示すブロック図。
【図２】本発明によるペアー線伝送カラー信号振幅変復調方式の他の実施例に用いられた画素信号振幅変復調回路の構成を示すブロック図。
【図３】従来のペアー線伝送カラー信号周波数変復調方式に用いられた映像信号周波数変復調回路の構成を示すブロック図。
【符号の説明】
１１（１、１１）・・・・・ＣＣＤ撮像素子
Ｓ1・・・・・カラー映像信号
Ｓ1a・・・・・（カラー映像信号の）バースト信号
Ｓ11・・・・・カラー画素信号
Ｓ11a・・・・・（ＣＣＤ撮像素子のサンプリング出力信号の）クロック信号
Ｓ2、Ｓ12・・・・・搬送波
Ｌ1、Ｌ11・・・・・ペアー線
【図１】
0004086212.tif 000002
【図２】
0004086212.tif 000003
【図３】
0004086212.tif 000004